(57)【特許請求の範囲】
【請求項１】
容器本体と、容器本体の口部の先部に取り付ける中栓と、中栓が付いている容器本体の口部に着脱可能な外蓋とを備え、
中栓は、口部の外周を包囲する筒状の側壁と、
側壁のうち筒状の一端部から口径方向内側に突出すると共に口部の先端面を覆う内覆板と、
内覆板の内周部から口部の開口方向に突出する筒状の突出壁と、
突出壁の先端部から口径方向内側に突出する環状の天板であってその内周に排出孔が形成される天板とを備え、
突出壁はその外周面のうち内覆板側に、口径方向内側に凹む環状の凹溝部を備え、
外蓋は、中栓の天板および内覆板を口部の開口方向から覆う外覆板と、外覆板の外周部から突出すると共に口部の外周面に螺合する外壁と、外壁よりも口径方向内側において外覆板から凹溝部まで突出する内壁と、内壁よりも内側において外覆板から排出孔に入るまで突出する突起とを備え、
内壁はその内周面には、凹溝部に嵌合する爪部を備えることを特徴とする容器。
【請求項２】
凹溝部は、その外径が内覆板側へ向かうにつれて小さくなる第１の溝テーパー部を備えることを特徴とする請求項１記載の容器。
【請求項３】
突出壁はその外周面のうち凹溝部よりも天板側に先細り部を備え、
先細り部は、その外径が天板側へ向かうにつれて細くなるテーパー形状であることを特徴とする請求項２記載の容器。
【請求項４】
突起の外径は、排出孔の内径よりも大きいことを特徴とする請求項１，２又は３記載の容器。
【請求項５】
口部の開口方向とは反対方向に延長する長さに関して、突起のうち排出孔に入る長さを、爪部のうち凹溝部に入る長さより長くしてあることを特徴とする請求項４記載の容器。
【請求項６】
外蓋は、外覆板と外壁と内壁と突起の他に、外壁と内壁の間に配置される中壁を備え、
爪部と凹溝部が嵌合したときに、中壁と容器本体の口部は内覆板を上下の対向箇所で挟んで密接することを特徴とする請求項１〜５の何れかに記載の容器。
【請求項７】
中栓の天板は、その内周部から下向きに突出すると共に突起に密接する凸部を備えることを特徴とする請求項４又は５記載の容器。
【発明の詳細な説明】
【技術分野】
【０００１】
本発明は、中栓と、中栓を取り付ける容器本体と、中栓付きの容器本体に着脱可能な外蓋とを備える容器に関する。
【背景技術】
【０００２】
上記した容器に用いる中栓の一例として、その上面の中央部以外を平面部とし、その上面の中央部に上方に突出する環状突出部を備えると共に、環状突出部の中央部に中心孔を備えるものが存在する（特許文献１）。この環状突出部の外周面は特許文献１の図１に示すように、容器本体側へ向かうにつれて外径が大きくなるテーパー形状となっている。
【先行技術文献】
【特許文献】
【０００３】
【特許文献１】特開平１０−８１３７５号公報
【発明の概要】
【発明が解決しようとする課題】
【０００４】
しかしながら中栓の環状突出部の外周面が上記したようなテーパー形状であると、容器本体内の内容物としての粉状物が、中心孔から排出された後に、容器本体内に戻るおそれがある。
より詳しく言えば、使用者が容器本体を傾けて粉状物を排出したときに、中栓の平面部の上に粉状物が載ることがある。その載った粉状物が何かの拍子に、環状突出部の外周面を移動して、中心孔を経て、再び容器本体内に戻るおそれがある。従ってこのような事態が生じないようにすることが、望ましいと考えられる。
【０００５】
本発明は上記実情を考慮して創作されたもので、その目的は中栓の外に出た内容物を容器本体内に戻り難くする中栓を提供すること、またその中栓を利用した容器を提供することである。
【課題を解決するための手段】
【０００６】
本発明の容器に用いる第１の態様の中栓は、外蓋が着脱可能な容器本体の口部の先部に取り付ける中栓であって、口部の外周を包囲する筒状の側壁と、側壁のうち筒状の一端部から口径方向内側に突出すると共に口部の先端面を覆う内覆板と、内覆板の内周部から口部の開口方向に突出する筒状の突出壁と、突出壁の先端部から口径方向内側に突出する環状の天板であってその内周に排出孔が形成される天板とを備える。そして突出壁はその外周面のうち内覆板側に、口径方向内側に凹む環状の凹溝部を備えるものである。
【０００７】
凹溝部の形状は問わないが、内容物を容器本体内に戻り難くするには、次のようにすることが望ましい。
すなわち第２の態様の中栓のように、凹溝部には、その外径が内覆板側へ向かうにつれて小さくなる第１の溝テーパー部を備えることである。
【０００８】
突出壁の外周面のうち凹溝部よりも天板側の形状は問わないが、内容物を容器本体内に戻り難くするには、次のようにすることが望ましい。
すなわち第３の態様の中栓のように、突出壁はその外周面のうち凹溝部よりも天板側に先細り部を備え、先細り部は、その外径が天板側へ向かうにつれて細くなるテーパー形状にすることである。
【０００９】
上記した中栓を利用して、外蓋を閉めたことを、感覚的に把握できるようにするには、次のようにすることが望ましい。
本発明の容器は、中栓と、外蓋と、容器本体とを備える。そして外蓋は、中栓の天板および内覆板を口部の開口方向から覆う外覆板と、外覆板の外周部から突出すると共に口部の外周面に螺合する外壁と、外壁よりも口径方向内側において外覆板から凹溝部まで突出する内壁と、内壁よりも内側において外覆板から排出孔に入るまで突出する突起とを備える。そのうえで内壁はその内周面には、凹溝部に嵌合する爪部を備えることである。
【００１０】
突起の形状は問わないが、容器本体内の密閉性を向上するには、次のようにすることが望ましい。
すなわち本発明の第２の手段の容器のように、突起の外径を排出孔の内径よりも大きくすることである。
【００１１】
突起のうち排出孔に入る長さは、問わないが、外蓋を閉めたことを、感覚的に把握し易くするには、次のようにすることが望ましい。
すなわち本発明の第３の手段の容器のように、第２の手段の容器に加え、口部の開口方向とは反対方向に延長する長さに関して、突起のうち排出孔に入る長さを、爪部のうち凹溝部に入る長さより長くしてあることである。
【００１２】
外蓋は、覆板と外壁と内壁と突起を備えれば、それ以外のものを備えるか否かは問わないが、クリック感と密閉性を向上するには、次のようにすることが望ましい。
本発明の第４の手段の容器のように、外蓋は、外覆板と外壁と内壁と突起の他に、外壁と内壁の間に配置される中壁を備えるものとする。そのうえで爪部と凹溝部が嵌合したときに、中壁と容器本体の口部は内覆板を上下の対向箇所で挟んで密接することである。
【００１３】
中栓の天板は、クリック感と密閉性を向上するには、次のようにすることが望ましい。
本発明の第５の手段の容器のように、中栓の天板がその内周部から下向きに突出すると共に突起に密接する凸部を備えることである。
【発明の効果】
【００１４】
本発明の容器に用いる中栓によれば、容器本体の外に出て内覆板の上に載った内容物が、何かの拍子に排出孔側に移動しようとしても、凹溝部の凹みにより天板側への移動を邪魔されるので、内容物が容器本体内に戻り難くなる。そして本発明の容器によれば、爪部が凹溝部に嵌合するときに、クリック感（爪部が凹溝部に嵌まりこむ感覚）が得られ、外蓋が中栓に対して閉まったことが感覚的に把握できる。
【００１５】
第２の態様の中栓によれば、凹溝部にはその外径が内覆板側へ向かうにつれて小さくなる第１の溝テーパー部を備えるので、第１の溝テーパー部により、容器本体の外に出た内容物が容器内に戻り難くなる。
【００１６】
また第３の態様の中栓によれば、先細り部により天板部の面積が狭くなり、天板部の上に内容物が載り難くなり、結果的に内容物が容器内に戻り難くなる。
【００１８】
また本発明の第２の手段の容器によれば、突起の外径を排出孔の内径よりも大きくしてあるので、容器本体内の密閉性が向上する。
【００１９】
また本発明の第３の手段の容器によれば、まず突起が排出孔に入ってから爪部が凹溝部に嵌合することになり、爪部が凹溝部に嵌合するときに、天板が口径方向内側（排出孔側）に弾性変形しようとするが、排出孔に密接した突起によって弾性変形しづらくなり、強い力で外蓋を閉めないと、爪部が凹溝部に嵌まらなくなり、結果的にクリック感が向上する。
【００２０】
また本発明の第４の手段の容器によれば、爪部と凹溝部が嵌合したときに、中壁と容器本体の口部が内覆板を上下の対向箇所で挟んで密接するので、クリック感を把握した直後に外蓋がそれ以上閉められなくなるので、クリック感が強調されると共に密閉性が向上する。
【００２１】
また本発明の第５の手段の容器によれば、突起に密接する凸部を中栓の天板の内周部から下向きに突出しているので、天板の内周部が部分的に厚くなり、天板全体を厚くするよりも、天板が薄くなって弾性変形し易くなり、クリック感と密閉性が向上する。
【図面の簡単な説明】
【００２２】
【図１】本発明の第１実施形態の容器を示す断面図である。
【図２】第１実施形態の容器の分解状態を示す断面図である。
【図３】第１実施形態の容器を閉めている途中の状態を示す断面図である。
【図４】（イ）（ロ）（ハ）図は、中栓の平面図、正面図、Ａ−Ａ線断面図である。
【図５】外蓋の下面図である。
【発明を実施するための形態】
【００２３】
本発明の第１実施形態の容器は図１に示すように、容器本体１と、容器本体１の口部１２の先部に取り付ける中栓３と、中栓３が付いている容器本体１の口部１２に着脱可能な外蓋５とを備える。また容器本体１の中に入れる内容物としては、調味料の粉状物や粒状物が具体的な例として挙げられる。
【００２４】
容器本体１は、たとえばガラス製である。また容器本体１は図２に示すように、内容物を収容する中空の胴部１０と、胴部１０に連続する口部１２であって胴部１０に内容物を出し入れする筒状の口部１２とを備えるものである。
【００２５】
口部１２は、円筒状であって、その外周面の先部（上部）にはその周方向の全周に亘って中栓３を取り付けるための取付凹部１４が凹んで形成されると共に、その外周面の取付凹部１４よりも下側を先部よりも大径に形成すると共に当該取付凹部１４よりも下側には雄ネジ部１６が口径方向外側に突出して形成されている。
【００２６】
取付凹部１４は、環状（円環状）であり、その外周面はその上部を、下方へ向かうにつれて外径が小さくなる上側のテーパー部１４ａとし、上側のテーパー部１４ａよりも下側を下方へ向かうにつれて外径が大きくなる下側のテーパー部１４ｂとする。
【００２７】
なお以後の説明において、口部１２の開口方向（以後、「開口方向」と言う。）とは、図１では上方向のことであり、口部１２の開口方向とは反対方向（以後、「反開口方向」と言う。）とは、図１では下方向のことである。
【００２８】
中栓３は、弾性変形可能な製品であって、具体的な一例としては合成樹脂製、より詳しく言えばポリエチレンやポリプロピレン、またはこれらを組み合わせた樹脂である。また中栓３は図２，４に示すように、口部１２の先部の外周を包囲する筒状の側壁３０と、側壁３０のうち反開口方向側の端部から口径方向内側に突出すると共に取付凹部１４に取り付ける取付壁３２と、側壁３０のうち開口方向側の端部から口径方向内側に突出すると共に口部１２の先端面を覆う内覆板３４と、内覆板３４の内周部から口部１２の開口方向に突出する筒状の突出壁３６と、突出壁３６の先端部から口径方向内側に突出する環状の天板３８であってその内周に排出孔３８ｈが形成される天板３８とを備える。
【００２９】
取付壁３２は、側壁３０の周方向全周に亘って連続する環状（円環状）となっている。また取付壁３２の内周面はその上部を、下方へ向かうにつれて内径が小さくなる第１のテーパー部３２ａとし、第１のテーパー部３２ａに対してその下側の部分を下方へ向かうにつれて内径が大きくなる第２のテーパー部３２ｂとする。
【００３０】
内覆板３４は、環状（円環状）であって、円環状の内覆板本体部３４ａと、内覆板本体部３４ａの下面であって半径方向の中間部から下方に突出すると共に口部１２の先端面に接する接触部３４ｂとを備える。
内覆板本体部３４ａは、その内径を口部１２の内径よりも小さくし、その外径を口部１２の外径よりも大きくしてある。これによって内覆板３４は、口部１２の先端面を全周に亘って覆うと共に、口部１２の内周よりも口径方向内側に突出している。
接触部３４ｂは、口部１２の周方向全周に亘って延長する円環状である。
【００３１】
突出壁３６はその内周面を開口方向とほぼ平行な円筒面としてある。いっぽう突出壁３６はその外周面に、その外周を狭める方向へ凹む凹溝部３６ａと、口部１２の開口方向へ向かうにつれて内周側へ窄まる先細り部３６ｈとを備えている。凹溝部３６ａと先細り部３６ｈとは口部１２の開口方向へ向かって順に隣接して配置されている。
先細り部３６ｈは、その外径が口部１２の開口方向へ向かうにつれて小さくなるテーパー形状である。
凹溝部３６ａは、反開口方向へ向かって順に、その外径が内覆板３４側へ向かうにつれて小さくなる第１の溝テーパー部３６ｂと、その外径が内覆板３４側へ向かうにつれて大きくなる第２の溝テーパー部３６ｃとを備える。
そして突出壁３６の外径は、先細り部と凹溝部との境界部分が最も大きくなっている。
【００３２】
天板３８は、円環状の天板本体部３８ａと、天板本体部３８ａの内周部から下向きに突出すると共に後述の外蓋５の突起５８に密接する凸部３８ｂを備える。したがって天板３８の厚みは、内周部がそれよりも外周側に比べて厚いものである。また天板本体部３８ａはその上面を平面とすると共に、その内周には開口方向に貫通する排出孔３８ｈを備える。排出孔３８ｈの内面は開口方向に平行な円筒面となっている。
【００３３】
外蓋５は、弾性変形可能な製品であって、具体的な一例としては合成樹脂製であり、より詳しくは、中栓３よりも硬い材質が望ましい。また外蓋５は図２，５に示すように、中栓３を口部１２の開口方向から覆う外覆板５０と、外覆板５０の外周部からその周方向の全周に亘って反開口方向へ向かって突出すると共に口部１２の外周面に螺合する外壁５２と、外壁５２よりも口径方向内側において外覆板５０からその全周に亘って反開口方向へ向かって突出すると共に内覆板３４に密接するための中壁５４と、中壁５４よりも口径方向内側において外覆板５０からその周方向の全周に亘って反開口方向へ向かって突出すると共に凹溝部３６ａに密接するための内壁５６と、内壁５６よりも口径方向内側において外覆板５０の中心部から反開口方向へ向かって突出すると共に中栓３の排出孔３８ｈに入るための突起５８とを備える。そして外壁５２と中壁５４と内壁５６と突起５８とは、外覆板５０の中心に対して同心状に配置されている。
【００３４】
外覆板５０は、円盤状で、その外径を容器本体１の口部１２及び中栓３の各外径よりも大きくしてある。
外壁５２は、円筒状であって、その内周面には口径方向外側へ向かって凹む雌ネジ部５２ａを備えている。この雌ネジ部５２ａは、容器本体１の雄ネジ部１６に螺合する。
【００３５】
中壁５４は、円筒状である。また中壁５４の下面は、開口方向に直交する面と平行な平面部５４ａである。
なお口径方向の位置に関して中壁５４は、内覆板本体部３４ａの上面であって接触部３４ｂの真上に対応する位置に形成されている。
【００３６】
突起５８は、外周面を円筒面とする丸棒状であって、具体的な一例としては円筒状である。突起５８の先部は、先端（下端）に向かうにつれて外径が小さくなるテーパー状としてある。また突起５８の直径（外径）は、その先部を排出孔３８ｈの直径よりも僅かに小さくし、その先部以外の部分を排出孔３８ｈの直径以上、より詳しくは排出孔３８ｈの直径よりも僅かに大きくしてある。
また口部１２の開口方向とは反対方向に延長する長さに関して、外蓋５を閉めた状態で、突起５８のうち排出孔３８ｈに入る長さは、爪部５６ｂのうち凹溝部３６ａに入る長さより長くしてある。具体的な例として、突起５８の下端は、内壁５６の下端よりも下方に位置するものとしてある。
【００３７】
内壁５６は、円筒状であって、複数のスリット５６ｓが突起５８を中心として放射状に形成されている。スリット５６ｓは、口径方向に貫通すると共に、反開口方向の端から開口方向へ延長するものである。したがって内壁５６の下部は周方向に分割された形状となっており、隣り合うスリット５６ｓ、５６ｓの間には円筒を放射状に分割した形の小内壁５６ａが形成されている。つまり小内壁５６ａは、円弧状に湾曲する板であって、より詳しくは開口方向及び周方向に延長する形状の板である。このように内壁５６の下部は、周方向に間隔をあけて配置された複数の小内壁５６ａを備えている。また小内壁５６ａはその下端部の内周面に、中栓３の凹溝部３６ａに嵌合する爪部５６ｂを備える。
【００３８】
爪部５６ｂは、その内面の開口方向側（上部）には、下方へ向かうにつれて口径方向内側へ向かって傾斜する第１の傾斜部５６ｃを備え、その内面の反開口方向側（下部）には、下方へ向かうにつれて口径方向外側へ向かって傾斜する第２の傾斜部５６ｄを備えている。爪部５６ｂは、第１の傾斜部５６ｃと第２の傾斜部５６ｄとの間の部分が最も口径方向内側へ突出している部分であり、この部分の直径は、中栓３の突出壁３６のうち最も直径が大きい部分（凹溝部３６ａと先細り部３６ｈとの間の部分）よりも小さくなっている。
また凹溝部３６ａと爪部５６ｂとが嵌合したとき、第１の傾斜部５６ｃは凹溝部３６ａの第１の溝テーパー部３６ｂに接触し、第２の傾斜部５６ｄは凹溝部３６ａの第２の溝テーパー部３６ｃから離れているものである。
【００３９】
上記した第１実施形態の容器は、以下の１）〜４）の手順で、中栓３付きの容器本体１に外蓋５が嵌められる。
１）外蓋５を回すと、図３に示すように、まず突起５８が排出孔３８ｈに入り、次に内壁５６の爪部５６ｂにおける第２の傾斜部５６ｄが突出壁３６の先細り部３６ｈに接触する。ちなみに突起５８は、その先部から排出孔３８ｈに入り、このとき突起５８の先部の外径は、排出孔３８ｈの直径よりも僅かに小さいので、突起５８が排出孔３８ｈに入り易い。そのうえで突起５８は、先部の次には、先部よりも上側の部分が排出孔３８ｈに入り、その先部よりも上側の部分を排出孔３８ｈの直径よりも僅かに大きくしてあるので、排出孔３８ｈに密接した状態になる。
２）さらに外蓋５を回すと、爪部５６ｂのうち口径方向内側に最も突出している部分が中栓３の突出壁３６の外周面のうち最も直径の大きい部分を乗り越えようとして、爪部５６ｂが突出壁３６を天板３８ごと口径方向の内側に弾性変形させようとすると共に、天板３８の排出孔３８ｈに入った突起５８がその弾性変形を阻止しようとし、小内壁５６ａがスリット５６ｓを利用して口径方向外側に広がる。
３）さらに外蓋５を回すと、爪部５６ｂの第２の傾斜部５６ｄが凹溝部３６ａの第１の溝テーパー部３６ｂの外周側に移動する。
４）さらに外蓋５を回すと、図１に示すように、爪部５６ｂのうち口径方向内側に最も突出している部分が中栓３の突出壁３６の外周面のうち最も直径の大きい部分を乗り越え、爪部５６ｂの第１の傾斜部５６ｃが凹溝部３６ａの第１の溝テーパー部３６ｂに接する。このようにして爪部５６ｂが凹溝部３６に嵌合する。
このとき、爪部５６ｂの第１の傾斜部５６ｃが凹溝部３６ａの第１の溝テーパー部３６ｂに充分に広い面積で接し、中壁５４の下面と容器本体１の口部１２の上面との間に内覆板３４を挟む。ちなみに中壁５４の平面部５４ａが内覆板本体部３４ａの上面に密接する。
なお上記した１）〜４）の手順で外蓋５が嵌められた後に、外蓋５を外すと、当然ではあるが、中栓３が容器本体１に付いたままとなっている。
【００４０】
また上記第１実施形態の容器は以下の効果を有する。
爪部５６ｂが凹溝部３６ａに嵌合するときに、爪部５６ｂが中栓３の突出壁３６を乗り越えることによって爪部５６ｂが凹溝部３６ａに嵌まりこむ感覚、つまりクリック感が得られ、外蓋５が中栓３に対して閉まったことが感覚的に把握できる。しかも突起５８が排出孔３８ｈに入ってから爪部５６ｂが凹溝部３６ａに嵌合することになり、爪部５６ｂが凹溝部３６ａに嵌合するときに、天板３８が口径方向内側（排出孔３８ｈ側）に弾性変形しようとするが、突起５８によって弾性変形しづらくなり、強い力で外蓋５を閉めないと、爪部５６ｂが凹溝部３６ａに嵌まらなくなり、結果的にクリック感が向上する。
また爪部５６ｂと凹溝部３６ａが嵌合したときに、中壁５４と容器本体１の口部１２が内覆板３４を上下の対向箇所で挟んで密接するので、クリック感を把握した直後に外蓋５がそれ以上閉められなくなるので、クリック感が強調されると共に密閉性が向上する。しかも内覆板３４の接触部３４ｂの半径方向の幅が容器本体１の口部１２の半径方向の幅よりも狭く、この狭い接触部３４ｂの下面で容器本体１の口部１２に密接するので、密閉性が向上する。
また天板３８の内周部から凸部３８ｂを下向きに突出させているので、中栓３の厚みが内周部のみ厚くなり、天板３８を全体的に厚くするよりも、天板３８が薄くなって弾性変形し易くなり、クリック感が向上する。しかも天板本体部３８ａだけの場合よりも、排出孔３８ｈと突起５８との接触面積が凸部３８ｂの厚みの分だけ広くなり、密閉性が向上する。
また突起５８の外径を排出孔３８ｈの内径よりも大きくしてあるので、容器本体１内の密閉性が向上する。
【００４１】
また上記した中栓３は以下の効果を有する。
使用者が容器の外蓋５を外して、内容物としての粉状物等を振り掛けると、粉状物等が容器本体１の外に出て天板３８や先細り部３６ｈや内覆板３４の上に載ることがある。
先細り部３６ｈは、その外径が下方に向かうにつれて小さくなるテーパー形状であるので、先細り部３６ｈの無いものに比べれば、天板３８の面積が狭くなり、天板３８の上に内容物が載り難くなり、結果的に粉状物等が容器内に戻り難くなる。
また内覆板３４の上に載った粉状物等が、何かの拍子に排出孔３８ｈ側に移動しようとしても、凹溝部３６ａの凹みに嵌り、天板３８側への移動を邪魔されるので、粉状物等が容器本体１内に戻り難くなる。しかも第１の溝テーパー部３６ｂの外径が内覆板３４側へ向かうにつれて小さくなるので、粉状物等が容器内にいっそう戻り難くなる。
【００４２】
本発明は上記実施形態に限定されるものではなく、その趣旨を逸脱しない範囲において適宜変更可能である。
【００４３】
たとえば中栓３は、第１実施形態では、容器本体１の口部１２との取付けのために、側壁３０だけでなく、取付壁３２を備え、取付壁３２を側壁３０の下端部から口径方向内側に突出させていたが、本発明ではこれに限らず、取付壁３２を備えないものであっても良い。取付壁３２は、口部１２の形状に対応させたものであり、第１実施形態では口部１２が取付凹部１４を備える形状であったため、取付凹部１４に対応させたものである。したがって口部１２が取付凹部１４を備えていない形状、たとえば口部１２の外周面が円筒面状である場合は、中栓３は側壁３０だけでも口部１２に取り付けることができ、より詳しく言えばたとえば側壁３０の内周面を口部１２の外周面に接着しても良いし、側壁３０を口部の外周面に接着することなく、単に圧入するものでも良い。ちなみに圧入する場合、側壁３０の内径は口部の外径よりも僅かに小さくする。
【００４４】
また容器は、上記実施形態では、容器本体１、中栓３、外蓋５の三部品を備えるものであったが、本発明ではこれに限らず、その他に、使用前密封用シールを備えるものであっても良い。使用前密封用シールとは、内容物が詰められた容器本体１の口部１２の上面に貼り付けるもので、この場合、容器は、口部１２の上面と中栓３の内覆板３４の接触部３４ｂとの間に使用前密封用シールが挟まれたものである。
容器に内容物が詰められた商品は、色々な所に流通される。そして使用前密封用シールは、流通時点での様々な向きでの搬送や保管においても内容物を確実に容器本体１内にとどめることができることから、長期保存には有効である。また使用前密封用シールは、初めて内容物を所望の量だけ容器本体から出して使うときに、口部１２からはがすが、その後に中栓３を口部１２に取り付けて外蓋５を閉めれば、外蓋５の中壁５４と容器本体の口部１２とで中栓２の内覆板本体部３４ａを上下に挟みこむことで、容器の密封性が得られる。
【符号の説明】
【００４５】
１  容器本体
１０  胴部
１２  口部
１４  取付凹部
１４ａ  テーパー部
１４ｂ  テーパー部
１６  雄ネジ部
３  中栓
３０  側壁
３２  取付壁
３２ａ  第１のテーパー部
３２ｂ  第２のテーパー部
３４  内覆板
３４ａ  内覆板本体部
３４ｂ  接触部
３６  突出壁
３６ａ  凹溝部
３６ｂ  第１の溝テーパー部
３６ｃ  第２の溝テーパー部
３６ｈ  先細り部
３８  天板
３８ａ  天板本体部
３８ｂ  凸部
３８ｈ  排出孔
５  外蓋
５０  外覆板
５２  外壁
５２ａ  雌ネジ部
５４  中壁
５４ａ  平面部
５６  内壁
５６ａ  小内壁
５６ｂ  爪部
５６ｃ  第１の傾斜部
５６ｄ  第２の傾斜部
５６ｓ  スリット
５８  突起
【図１】
0006730574.tif 000002
【図２】
0006730574.tif 000003
【図３】
0006730574.tif 000004
【図４】
0006730574.tif 000005
【図５】
0006730574.tif 000006